(57)【要約】【課題】  操作装置で駆動手段を操作することにより床面を起伏させる床部起伏機構を備えたベッドの操作システムにおいて、操作性の良好な無線操作装置を有するベッド操作システムを提供する。【解決手段】  操作装置で駆動手段を操作することにより床面を起伏させる床部起伏機構を備えたベッドの操作システムにおいて、操作装置は赤外線を用いた無線操作装置であって、同無線操作装置には、第１の方向に赤外線を照射する第１赤外線光源と、第２の方向に赤外線を照射する第２赤外線光源とを設け、第１の方向は無線操作装置の前方方向とするとともに、第２の方向は無線操作装置の上方方向とする。無線操作装置には、上面に駆動手段を操作する操作ボタンを設けるとともに、下面に同無線操作装置の電源ボタンを設ける。【選択図】図３
2005040450.tif 000002
【特許請求の範囲】
【請求項１】
操作装置で駆動手段を操作することにより床面を起伏させる床部起伏機構を備えたベッドの操作システムにおいて、
前記操作装置は赤外線を用いた無線操作装置であって、同無線操作装置には、第１の方向に赤外線を照射する第１赤外線光源と、第２の方向に赤外線を照射する第２赤外線光源とを設け、前記第１の方向は前記無線操作装置の前方方向とするとともに、前記第２の方向は前記無線操作装置の上方方向としたことを特徴とするベッド操作システム。
【請求項２】
前記無線操作装置には、上面に前記駆動手段を操作する操作ボタンを設けるとともに、下面に同無線操作装置の電源ボタンを設けたことを特徴とする請求項１記載のベッド操作システム。
【請求項３】
前記無線操作装置には、上面略中央の左側に背側床部の起伏操作を行うための背側起立用ボタンと背側倒伏用ボタンとを上下に並設するとともに、上面略中央の右側に足側床部の起伏操作を行うための足側起立用ボタンと足側倒伏用ボタンとを上下に並設し、さらに、上面の前方側に背側床部と足側床部とを同時に起伏操作するための背足同時起立用ボタンと背足同時倒伏用ボタンとを上下に並設したことを特徴とする請求項１または請求項２に記載のベッド操作システム。
【請求項４】
前記無線操作装置が照射した赤外線を受光する受光装置は複数系統入力コントローラと接続し、同複数系統入力コントローラを介して前記駆動手段を操作するとともに、前記複数系統入力コントローラには有線操作装置も接続し、この有線操作装置と前記無線操作装置とでそれぞれ駆動手段を操作可能とし、
しかも、前記複数系統入力コントローラは、前記駆動手段を収容したケーシングに設けられたボルト挿通用孔に嵌合突起を嵌合させて前記ケーシングに着脱自在に装着するようにしたことを特徴とする請求項１〜３のいずれか１項に記載のベッド操作システム。
【請求項５】
前記無線操作装置には連結ケーブル接続端子を設けて、連結ケーブルを介して前記複数系統入力コントローラと接続可能としたことを特徴とする請求項４記載のベッド操作システム。
【発明の詳細な説明】
【技術分野】
【０００１】
本発明は、床部起伏機構を備えたベッドにおける床部起伏機構の操作を行うベッド操作システムに関するものである。
【背景技術】
【０００２】
従来、床部起伏機構を備えたベッドが知られている。このようなベッドでは、床部起伏機構の駆動を電気モータで行っており、有線あるいは無線の操作装置によって電気モータの動作制御を行って、床部の起伏状態を所要の起伏状態とするようにしている（例えば、特許文献１参照。）。
【特許文献１】特開平９−２３８９８６号公報
【発明の開示】
【発明が解決しようとする課題】
【０００３】
しかしながら、上記の操作装置のうち無線の操作装置では、一般的なリモートコントローラのように操作装置の前端から前方に向けて赤外線を照射するようになっているだけであるので、介護師等の介護者が使用するには問題なく使用することができるものの、ベッドを使用している使用者が無線操作装置を使用する場合には、ベッドに横になった状態で操作を行うために、無線操作装置から照射された赤外線を受光する受光装置の設置場所に無線操作装置を向ける姿勢を取ることが困難な場合があり、操作がしにくいという問題があった。
【課題を解決するための手段】
【０００４】
本発明のベッド操作システムでは、操作装置で駆動手段を操作することにより床面を起伏させる床部起伏機構を備えたベッドの操作システムにおいて、操作装置は赤外線を用いた無線操作装置であって、同無線操作装置には、第１の方向に赤外線を照射する第１赤外線光源と、第２の方向に赤外線を照射する第２赤外線光源とを設け、第１の方向は無線操作装置の前方方向とするとともに、第２の方向は無線操作装置の上方方向とした。
【０００５】
さらに、以下の点にも特徴を有するものである。すなわち、
（１）無線操作装置には、上面に駆動手段を操作する操作ボタンを設けるとともに、下面に同無線操作装置の電源ボタンを設けたこと。
（２）無線操作装置には、上面略中央の左側に背側床部の起伏操作を行うための背側起立用ボタンと背側倒伏用ボタンとを上下に並設するとともに、上面略中央の右側に足側床部の起伏操作を行うための足側起立用ボタンと足側倒伏用ボタンとを上下に並設し、さらに、上面の前方側に背側床部と足側床部とを同時に起伏操作するための背足同時起立用ボタンと背足同時倒伏用ボタンとを上下に並設したこと。
（３）無線操作装置が照射した赤外線を受光する受光装置は複数系統入力コントローラと接続し、同複数系統入力コントローラを介して駆動手段を操作するとともに、複数系統入力コントローラには有線操作装置も接続し、この有線操作装置と無線操作装置とでそれぞれ駆動手段を操作可能とし、しかも、複数系統入力コントローラは、駆動手段を収容したケーシングに設けられたボルト挿通用孔に嵌合突起を嵌合させてケーシングに着脱自在に装着するようにしたこと。
（４）無線操作装置には連結ケーブル接続端子を設けて、連結ケーブルを介して複数系統入力コントローラと接続可能としたこと。
【発明の効果】
【０００６】
請求項１記載の発明によれば、操作装置で駆動手段を操作することにより床面を起伏させる床部起伏機構を備えたベッドの操作システムにおいて、操作装置は赤外線を用いた無線操作装置であって、同無線操作装置には、第１の方向に赤外線を照射する第１赤外線光源と、第２の方向に赤外線を照射する第２赤外線光源とを設け、第１の方向は無線操作装置の前方方向とするとともに、第２の方向は無線操作装置の上方方向としたことによって、ベッドに横になった使用者が、無線操作装置を受光装置に向けるために姿勢を大きく変えることなく操作を行うことができるので、操作性を極めて向上させることができる。
【０００７】
請求項２記載の発明によれば、無線操作装置には、上面に駆動手段を操作する操作ボタンを設けるとともに、下面に同無線操作装置の電源ボタンを設けたことによって、誤って電源ボタンを操作することを防止できる。
【０００８】
請求項３記載の発明によれば、無線操作装置には、上面略中央の左側に背側床部の起伏操作を行うための背側起立用ボタンと背側倒伏用ボタンとを上下に並設するとともに、上面略中央の右側に足側床部の起伏操作を行うための足側起立用ボタンと足側倒伏用ボタンとを上下に並設し、さらに、上面の前方側に背側床部と足側床部とを同時に起伏操作するための背足同時起立用ボタンと背足同時倒伏用ボタンとを上下に並設したことによって、無線操作装置の誤操作を防止することができる。特に、背足同時起立用ボタンと背足同時倒伏用ボタンとを設けたことによって、操作性をさらに向上させることができる。
【０００９】
請求項４記載の発明によれば、無線操作装置が照射した赤外線を受光する受光装置は複数系統入力コントローラと接続し、同複数系統入力コントローラを介して駆動手段を操作するとともに、複数系統入力コントローラには有線操作装置も接続し、この有線操作装置と無線操作装置とでそれぞれ駆動手段を操作可能としたことによって、必要に応じて有線操作装置を併用することができ、利便性を向上させることができる。
【００１０】
しかも、複数系統入力コントローラは、駆動手段を収容したケーシングに設けられたボルト挿通用孔に嵌合突起を嵌合させてケーシングに着脱自在に装着するようにしたことによって、複数系統入力コントローラが邪魔となることなく簡潔にベッドに装着することができる。
【００１１】
請求項５記載の発明によれば、無線操作装置には連結ケーブル接続端子を設けて、連結ケーブルを介して複数系統入力コントローラと接続可能としたことによって、必要に応じて無線操作装置を有線操作装置とすることができ、有線と無線との切替を極めて容易に行うことができる。
【発明を実施するための最良の形態】
【００１２】
本発明のベッド操作システムは、図１に示すように、ベッドＢに装着して使用するものである。ここで、ベッドＢには、背側の床面を起伏する背側床面起伏機構（図示せず）と、足側の床面を起伏する足側床面起伏機構（図示せず）とから構成した床部起伏機構を設けている。さらに、ベッドＢには、床面を昇降させる床部昇降機構（図示せず）を設けている。これらの床部起伏機構及び床部昇降機構は既知のものである。
【００１３】
図１中、１はベッドＢに設けた床部起伏機構を駆動させている駆動手段としての駆動機構部であり、図２に示すように、駆動機構部１には背側床面起伏機構を駆動させる背側駆動用モータ２と、足側床面起伏機構を駆動させる足側駆動用モータ３とを設け、各駆動モータ2,3の出力軸（図示せず）と、背側床面起伏機構及び足側床面起伏機構を連動連結した連結アーム（図示せず）を、ケーシング４内に収容している。
【００１４】
ケーシング４には、所要の位置に操作信号入力端子５と、昇降操作信号出力端子６を設けている。操作信号入力端子５には、後述する有線操作装置10または無線操作装置20を接続して、ケーシング４に設けたベッド制御回路（図示せず）に所要の操作信号を入力可能としている。また、昇降操作信号出力端子６には、床部昇降機構の駆動手段としての昇降操作用モータ（図示せず）と接続する接続ケーブルの一端を接続可能とし、ベッド制御回路から出力された昇降操作信号に基づいて昇降操作用モータを駆動させるようにしている。
【００１５】
図２中、７はケーシング４に設けたボルト挿通用孔であって、このボルト挿通用孔７に挿入したボルト（図示せず）によって複数の部材で構成したケーシング４を一体的に組み合わせている。
【００１６】
図２及び図３に示すように、駆動機構部１には複数系統入力コントローラ８を装着し、同複数系統入力コントローラ８を介して複数の操作装置からベッド制御回路に所要の操作信号を入力可能としている。
【００１７】
複数系統入力コントローラ８の背面には、所要の位置に合成樹脂製の嵌合突起8aを突設し、この嵌合突起8aをボルト挿通用孔７に嵌合させることによって、複数系統入力コントローラ８をケーシング４に着脱自在に装着可能としている。
【００１８】
嵌合突起8aを用いて複数系統入力コントローラ８のケーシング４への装着を行うことによって、極めて容易に複数系統入力コントローラ８をケーシング４に装着することができ、かつ複数系統入力コントローラ８を邪魔となることなく配設することができる。嵌合突起8aは、ボルト挿通用孔７に嵌合可能な寸法としている。
【００１９】
図２中、8bは操作信号出力端子であり、この操作信号出力端子8bと操作信号入力端子５とを接続ケーブル９で接続することにより、有線操作装置10若しくは無線操作装置20から複数系統入力コントローラ８に入力された操作信号をベッド制御回路に入力する湯にしている。また、8cは有線操作装置10を接続する有線操作装置接続端子である。
【００２０】
複数系統入力コントローラ８と、ベッド制御回路と、有線操作装置10と、無線操作装置20は、図３に示すように接続し、有線操作装置10若しくは無線操作装置20から出力した操作信号をベッド制御回路に入力可能としている。
【００２１】
すなわち、ケーシング４に装着した複数系統入力コントローラ８は、接続ケーブル９を介してベッド制御回路と接続している。そして、有線操作装置10は、同有線操作装置10と接続した接続線11の端部を有線操作装置接続端子8cに接続して、有線操作装置10から出力した操作信号を複数系統入力コントローラ８に入力している。また、複数系統入力コントローラ８には、接続線31を介して赤外線の受光装置30を接続し、同受光装置30が無線操作装置20から照射された赤外線を受光して無線操作装置20から出力した操作信号を複数系統入力コントローラ８に入力している。
【００２２】
有線操作装置10は、図１に示すようにベッドＢの側縁に装着した側柵b1に係着するようにしている。また、受光装置30は、図１に示すようにベッドＢに装着した前端板b2に装着するようにしている。
【００２３】
なお、無線操作装置20を用いない場合には、有線操作装置10に接続している接続線11の端部を、ケーシング４の操作信号入力端子５に直接接続してもよい。
【００２４】
上記したように、受光装置30を接続した複数系統入力コントローラ８を設けることによって、有線操作装置10だけでなく無線操作装置20によっても床部起伏機構及び床部昇降機構を操作することができ、既存の有線操作装置10のみを有するベッドＢに、無線操作装置20による無線操作機能を付与することができる。
【００２５】
無線操作装置20には、図３及び図４に示すように、着脱自在に係止用フック21を装着可能としており、図１に示すように、ベッドＢの側柵b1に無線操作装置20を係着できるようにしている。
【００２６】
無線操作装置20は、図３〜５に示すように、一方向に長く伸延させた平面視略楕円状であって、片手で把持しやすいように所要の厚みを設けたケース体としている。
【００２７】
無線操作装置20の下面側には、カバー板22で閉塞可能とした電池ボックスを設けており、この電池ボックスに電池を収容してカバー板22で閉塞するようにしている。カバー板22には、係止用フック21を装着するための係止爪23を突設し、この係止爪23を係止用フック21に設けた係合孔24に挿入して係合させることにより、係止用フック21を無線操作装置20に装着している。
【００２８】
さらに、無線操作装置20の下面側には、無線操作装置20の電源ボタン25を設けている。このように無線操作装置20の下面側に無線操作装置20の電源ボタン25を設けたことによって、誤って電源ボタン25を操作することを防止できる。
【００２９】
無線操作装置20の上面側には、図５に示すように、上面略中央の左側に背側床部の起伏操作を行うための背側起立用ボタン26aと背側倒伏用ボタン26bとを上下に並設するとともに、上面略中央の右側には、足側床部の起伏操作を行うための足側起立用ボタン27aと足側倒伏用ボタン27bとを上下に並設している。
【００３０】
さらに、無線操作装置20の上面側の前方側には、背側床部と足側床部とを同時に起伏操作するための背足同時起立用ボタン28aと背足同時倒伏用ボタン28bとを上下に並設しており、無線操作装置20の上面側の後方側には、床部を上下に昇降操作するための床部上昇ボタン29aと床部降下ボタン29bとを上下に並設している。
【００３１】
背側床部の起伏操作を行う背側起立用ボタン26aと背側倒伏用ボタン26bと、足側床部の起伏操作を行う足側起立用ボタン27aと足側倒伏用ボタン27bとを、左右に並べて設けたことによって各ボタン26a,26b,27a,27bの誤操作を抑止できる。
【００３２】
特に、背側起立用ボタン26a、背側倒伏用ボタン26b、足側起立用ボタン27a、足側倒伏用ボタン27bの配設部分における無線操作装置20のケース体を凹形状として、その上側及び下側よりも薄肉状としておくことにより、各ボタン26a,26b,27a,27bの誤操作をより抑止しやすくできる。
【００３３】
また、背側床部と足側床部とを同時に起伏操作するための背足同時起立用ボタン28aと背足同時倒伏用ボタン28bを、背側起立用ボタン26a、背側倒伏用ボタン26b、足側起立用ボタン27a、足側倒伏用ボタン27bの配設位置よりも前方側としたことによって、背足同時起立用ボタン28a及び背足同時倒伏用ボタン28bを、背側起立用ボタン26a、背側倒伏用ボタン26b、足側起立用ボタン27a、足側倒伏用ボタン27bと間違えて操作することを抑止でき、誤操作を抑止できる。
【００３４】
さらに、床部を上下に昇降操作するための床部上昇ボタン29aと床部降下ボタン29bを、背側起立用ボタン26a、背側倒伏用ボタン26b、足側起立用ボタン27a、足側倒伏用ボタン27bの配設位置よりも後方側としたことによって、床部上昇ボタン29a及び床部降下ボタン29bを、背側起立用ボタン26a、背側倒伏用ボタン26b、足側起立用ボタン27a、足側倒伏用ボタン27bと間違えて操作することを抑止でき、誤操作を抑止できる。
【００３５】
無線操作装置20の前端には光源配設用凹部41を設けており、この光源配設用凹部41には、第１赤外線光源42と第２赤外線光源43とを、それぞれ先端部を露出させて設け、上記した各ボタン26a,26b,27a,27b,28a,28b,29a,29bの操作に基づいて、所要の赤外線信号を照射するようにしている。
【００３６】
特に、第１赤外線光源42と第２赤外線光源43とは、赤外線の照射方向を異ならせており、第１赤外線光源42は無線操作装置20の前方方向に向けて赤外線を照射するように無線操作装置20に装着し、第２赤外線光源43は、無線操作装置20の上方方向に向けて赤外線を照射するように無線操作装置20に装着している。
【００３７】
したがって、図６に示すように、ベッドＢの使用者が背側床部を起立させた状態で無線操作装置20を操作する場合に、使用者は、無線操作装置20を受光装置30に向けるために無理な姿勢となることなく、赤外線を受光装置30に入力することができ、使用者の負担を軽減させることができる。
【００３８】
無線操作装置20には、図５に示すように、後端部に連結ケーブル44を介して複数系統入力コントローラと接続するための接続端子45を設けている。この接続端子45に連結ケーブル44を接続し、連結ケーブル44の他端を図３に示すように複数系統入力コントローラ８の有線操作装置接続端子8cに接続することによって、無線操作装置20を有線操作装置としても利用可能としている。図５中、46は連結ケーブル44を用いない場合に接続端子45を保護する保護キャップである。
【００３９】
このように、無線操作装置20は連結ケーブル44を用いることによって必要に応じて無線操作装置20を有線操作装置10とすることができるので、有線と無線との切替を極めて容易に行うことができる。
【図面の簡単な説明】
【００４０】
【図１】本発明にかかるベッド操作システムの要部概略説明図である。
【図２】ケーシングへの複数系統入力コントローラの装着状態を説明する説明図である。
【図３】本発明にかかるベッド操作システムにおける配線の配線接続形態の説明図である。
【図４】無線操作装置の説明図である。
【図５】無線操作装置の説明図である。
【図６】無線操作装置の使用状態を説明する説明図である。
【符号の説明】
【００４１】
Ｂ  ベッド
１  駆動機構部
４  ケーシング
５  操作信号入力端子
６  昇降操作信号出力端子
７  ボルト挿通用孔
８  複数系統入力コントローラ
8a  嵌合突起
8b  操作信号出力端子
8c  有線操作装置接続端子
９  接続ケーブル
10  有線操作装置
11  接続線
20  無線操作装置
21  係止用フック
25  電源ボタン
26a  背側起立用ボタン
26b  背側倒伏用ボタン
27a  足側起立用ボタン
27b  足側倒伏用ボタン
28a  背足同時起立用ボタン
28b  背足同時倒伏用ボタン
29a  床部上昇ボタン
29b  床部降下ボタン
30  受光装置
31  接続線
41  光源配設用凹部
42  第１赤外線光源
43  第２赤外線光源
44  連結ケーブル
45  接続端子
46  保護キャップ
【図１】
2005040450.tif 000003
【図２】
2005040450.tif 000004
【図３】
2005040450.tif 000005
【図４】
2005040450.tif 000006
【図５】
2005040450.tif 000007
【図６】
2005040450.tif 000008